(57)【要約】      （修正有）【課題】製造コストを抑制することができる電気装置およびモータ駆動装置を提供する。【解決手段】モータ駆動装置１０は、パターンが印刷されたプリント基板１４と、樹脂を成形することにより形成され、パターンが印刷されていない樹脂基板１２と、を有する。プリント基板１４は、樹脂基板１２に設置されている。さらに、プリント基板１４のパターンに通電される電流よりも大きな電流が通電されるショートバー１６を有する。ショートバー１６は、樹脂基板１２に設置されている。【選択図】図１
2019125751.tif 000002
【特許請求の範囲】
【請求項１】
パターンが印刷されたプリント基板と、
樹脂を成形することにより形成され、パターンが印刷されていない樹脂基板と、
を有し、
前記プリント基板は、前記樹脂基板に設置されている、電気装置。
【請求項２】
請求項１に記載の電気装置であって、
前記樹脂基板は、前記プリント基板の位置決めを行う第１位置決め部を有する、電気装置。
【請求項３】
請求項１または２に記載の電気装置であって、
前記プリント基板の前記パターンに通電される電流よりも大きな電流が通電されるショートバーを有し、
前記ショートバーは、前記樹脂基板に設置されている、電気装置。
【請求項４】
請求項３に記載の電気装置であって、
前記樹脂基板は、前記ショートバーの位置決めを行う第２位置決め部を有する、電気装置。
【請求項５】
請求項３または４に記載の電気装置は、モータに電力を供給するモータ駆動装置であって、
前記プリント基板には、前記モータに供給する電力を制御する制御部が搭載されている、モータ駆動装置。
【発明の詳細な説明】
【技術分野】
【０００１】
本発明は、パターンが印刷されたプリント基板を有する電気装置およびモータ駆動装置に関する。
【背景技術】
【０００２】
下記特許文献１には、プリント基板上にショートバーが搭載されたモータ駆動装置が開示されている。
【先行技術文献】
【特許文献】
【０００３】
【特許文献１】特開２００５−２４３７４２号公報
【発明の概要】
【発明が解決しようとする課題】
【０００４】
上記特許文献１に記載の技術では、プリント基板は、ショートバーが搭載される面積を確保されていなければならず、面積当たりの単価が高いプリント基板の面積が拡大するため、モータ駆動装置の製造コストが増大するおそれがあった。
【０００５】
本発明は、上記の問題を解決するためになされたものであり、製造コストを抑制することができる電気装置およびモータ駆動装置を提供することを目的とする。
【課題を解決するための手段】
【０００６】
本発明の第１の態様の電気装置は、パターンが印刷されたプリント基板と、樹脂を成形することにより形成され、パターンが印刷されていない樹脂基板と、を有し、前記プリント基板は、前記樹脂基板に設置されている。
【発明の効果】
【０００７】
本発明によれば、単価の高いプリント基板の面積を縮小できるため、製造コストを抑制することができる。
【図面の簡単な説明】
【０００８】
【図１】モータ駆動装置の内部構造を示す模式図である。
【図２】従来のモータ駆動装置の内部構造を示す模式図である。
【発明を実施するための形態】
【０００９】
〔第１の実施の形態〕
［モータ駆動装置の構成］
図１は、モータ駆動装置１０の内部構造を示す模式図である。モータ駆動装置１０は、図示しないモータに供給する電力を制御する装置である。モータ駆動装置１０は、樹脂基板１２、樹脂基板１２に設置されたプリント基板１４、および、同じく樹脂基板１２に設定されたショートバー１６を有している。
【００１０】
樹脂基板１２は、樹脂材料を射出成形することにより作成される板状の部材である。プリント基板１４は、樹脂により形成された板を積層したものにパターンが印刷されることにより作成される板状の部材である。
【００１１】
プリント基板１４には、複数の電子素子から構成され、モータに供給する電力を制御する制御部２０や、他のプリント基板１４と電気的に接続するためのコネクタ１８等が搭載されている。ショートバー１６は、図示しないパワー素子に連結されており、ショートバー１６には制御部２０に通電される電流よりも大電流を流す。樹脂基板１２には、プリント基板１４とパワー素子とを繋ぐ配線等は設置されるものの、樹脂基板１２にはパターンは印刷されていない。
【００１２】
樹脂基板１２は、プリント基板１４を位置決めするための第１位置決め部２２を有している。第１位置決め部２２は、スナップフィット等により構成され、プリント基板１４を樹脂基板１２に対して固定している。
【００１３】
樹脂基板１２には、ショートバー１６を位置決めするための第２位置決め部２４を有している。第２位置決め部２４は、ショートバー１６の形状に沿って溝状に形成されている。ショートバー１６は、図示しないボルトによってパワー素子に連結されている。
【００１４】
樹脂基板１２は、図示しないハウジングに樹脂基板１２を固定するためのネジが挿入される複数のネジ挿入孔２６が形成されている。モータ駆動装置１０の作成時には、まず、樹脂基板１２にプリント基板１４およびショートバー１６が設置される。その後、樹脂基板１２がハウジング内に移動され、樹脂基板１２がハウジングにネジにより固定される。
【００１５】
［作用効果］
図２は、従来のモータ駆動装置１０の内部構造を示す模式図である。従来では、プリント基板１４にショートバー１６が設置され、プリント基板１４がハウジングにネジにより固定されていた。そのため、プリント基板１４は、制御部２０が搭載されるための面積以外に、ショートバー１６が設置されるための面積が確保される必要がある。また、プリント基板１４をハウジングにネジ止めする際の作業効率を高めるには、プリント基板１４の枚数を少なくする必要があり、実際に制御部２０が搭載される領域よりもプリント基板１４の面積を大きくする必要がある場合がある。しかし、プリント基板１４は面積当たりの単価が高く、モータ駆動装置１０の製造コストが増大するおそれがあった。
【００１６】
そこで、本実施の形態では、射出成形により成形された樹脂基板１２に、プリント基板１４とショートバー１６とが設置されるようにした。これにより、プリント基板１４は制御部２０が搭載されるための面積が確保されていればよく、プリント基板１４の面積を縮小することができ、モータ駆動装置１０の製造コストを抑制することができる。また、樹脂基板１２にプリント基板１４とショートバー１６が搭載された状態で、樹脂基板１２をハウジングに固定することができるため、モータ駆動装置１０の組み立て性も確保することができる。
【００１７】
また、樹脂基板１２は、プリント基板１４と位置決めするための第１位置決め部２２、および、ショートバー１６を位置決めするための第２位置決め部２４を有する。これにより、プリント基板１４およびショートバー１６の樹脂基板１２への設置の容易性を向上させることができる。
【００１８】
なお、本実施の形態では、モータ駆動装置１０について説明したが、他の機器に電力を供給する装置においても、樹脂基板１２にプリント基板１４を設置する構成とすることにより、プリント基板１４の面積を縮小することができ、製造コストを抑制することができる。
【００１９】
〔実施の形態から得られる技術的思想〕
上記実施の形態から把握しうる技術的思想について、以下に記載する。
【００２０】
電気装置（１０）は、パターンが印刷されたプリント基板（１４）と、樹脂を成形することにより形成され、パターンが印刷されていない樹脂基板（１２）と、を有し、前記プリント基板（１４）は、前記樹脂基板（１２）に設置されている。これにより、プリント基板（１４）の面積を縮小し、電気装置（１０）の製造コストを抑制することができる。
【００２１】
上記の電気装置（１０）であって、前記樹脂基板（１２）は、前記プリント基板（１４）の位置決めを行う第１位置決め部（２２）を有してもよい。これにより、樹脂基板（１２）へのプリント基板（１４）の設置の容易性を向上させることができる。
【００２２】
上記の電気装置（１０）であって、前記プリント基板（１４）の前記パターンに通電される電流よりも大きな電流が通電されるショートバー（１６）を有し、前記ショートバー（１６）は、前記樹脂基板（１２）に設置されていてもよい。これにより、プリント基板（１４）の面積を縮小し、電気装置（１０）の製造コストを抑制することができる。
【００２３】
上記の電気装置（１０）であって、前記樹脂基板（１２）は、前記ショートバー（１６）の位置決めを行う第２位置決め部（２４）を有してもよい。これにより、樹脂基板（１２）へのショートバー（１６）の設置の容易性を向上させることができる。
【００２４】
上記の電気装置（１０）は、モータに電力を供給するモータ駆動装置（１０）であって、前記プリント基板（１４）には、前記モータに供給する電力を制御する制御部（２０）が搭載されてもよい。これにより、プリント基板（１４）の面積を縮小し、モータ駆動装置（１０）の製造コストを抑制することができる。
【符号の説明】
【００２５】
１０…モータ駆動装置                  １２…樹脂基板
１４…プリント基板                    １６…ショートバー
２２…第１位置決め部                  ２４…第２位置決め部
【図１】
2019125751.tif 000003
【図２】
2019125751.tif 000004